(57)【要約】      （修正有）【課題】ゴミ等の付着を効果的に抑制できるとともに、仮にゴミ等が付着した場合であってもゴミ等を容易に取り除くことができ、優れた衛生性及び清掃性を得ることができる排水栓装置を提供する。【解決手段】排水栓装置１は、栓蓋７を上下動させるための作動軸５を支持する支持筒４を備え、支持筒４は排水用の配管３に固定される。配管３は、上下方向に傾斜する傾斜部を備え、支持筒４は、傾斜部から上方に突出する突出筒部４１を有し、突出筒部４１のうち傾斜部における排水の流れ方向上流側に位置する上流側部位４１Ａ、及び、配管３のうち上流側部位４１Ａと対向する部位を連結する上面部と、上面部の幅方向一端縁全域から下方に向けて延びる第１側面部と、上面部の幅方向他端縁全域から下方に向けて延びる第２側面部とを有する付着防止部９を備える。【選択図】図１
2015124520.tif 000002
【特許請求の範囲】
【請求項１】
槽体の排水口に設けられる栓蓋と、
前記槽体に取付けられる筒状の排水口部材と、
前記排水口部材に取付けられ、自身の内部空間が前記槽体からの排水が流れる排水流路をなす筒状の配管と、
自身の上下動により前記栓蓋を上下動させる作動軸と、
自身の内周において前記作動軸を上下動可能な状態で支持する筒状の支持筒とを備える排水栓装置であって、
前記配管の内面には、上下方向に対して傾斜する傾斜部が設けられ、
前記支持筒は、
前記配管に固定されるとともに、
前記傾斜部から上方に向けて突出し、前記配管の内部空間に配置される突出筒部を有し、
前記突出筒部のうち前記傾斜部における排水の流れ方向上流側に位置する部位を上流側部位としたとき、
前記配管のうち、平面視したときに前記流れ方向に沿って前記上流側部位と対向する部位、及び、前記上流側部位を連結する上面部と、
前記上面部の幅方向一端縁全域から下方に向けて延び、前記配管及び前記上流側部位との間に隙間が存在しない状態で、前記配管及び前記上流側部位に連結される第１側面部と、
前記上面部の幅方向他端縁全域から下方に向けて延び、前記配管及び前記上流側部位との間に隙間が存在しない状態で、前記配管及び前記上流側部位に連結される第２側面部と
を有する付着防止部を備えることを特徴とする排水栓装置。
【請求項２】
前記配管には、前記槽体のオーバーフロー口から延びるオーバーフロー管の一端部が接続されており、
前記オーバーフロー管の一端部の開口は、上下方向において前記突出筒部の少なくとも一部とオーバーラップする位置に設けられることを特徴とする請求項１に記載の排水栓装置。
【請求項３】
前記配管は、径方向内側に突出する係止部を有するとともに、
前記排水口部材は、前記係止部が係止可能な凹状の被係止部を有し、
前記被係止部に対して前記係止部を係止することで、前記排水口部材に対して前記配管が取付けられ、かつ、
前記排水口部材に対する前記配管の周方向に沿った相対位置を調節可能に構成されることを特徴とする請求項２に記載の排水栓装置。
【請求項４】
前記作動軸の上方において前記作動軸と直列的に配置されるとともに、前記作動軸の上下動により上下動可能な連動軸、及び、前記作動軸のうちの少なくとも一方が内周に挿通される筒状部と、
前記筒状部の外周に設けられ、自身の外周面が前記槽体及び前記槽体に取付けられた部材のうちの少なくとも一方に接触可能であるとともに、通水孔を有する捕集部とを具備するとともに、
前記筒状部が前記突出筒部の上方に配置されるヘアキャッチャー構成体を備え、
前記筒状部は、その下端部に、前記突出筒部の上端部を挿通可能な凹部を有し、
前記凹部に対して前記突出筒部の上端部が挿通されていることを特徴とする請求項１乃至３のいずれか１項に記載の排水栓装置。
【請求項５】
前記作動軸の上方において前記作動軸と直列的に配置されるとともに、前記作動軸の上下動により上下動可能な連動軸、及び、前記作動軸の少なくとも一方が内周に挿通される筒状部と、
前記筒状部の外周に設けられ、自身の外周面が前記槽体及び前記槽体に取付けられた部材のうちの少なくとも一方に接触可能であるとともに、通水孔を有する捕集部と、
前記捕集部よりも下方において前記筒状部の外周から径方向外側に突出するとともに、周方向に沿って間欠的に設けられ、前記槽体及び前記槽体に取付けられた部材のうちの少なくとも一方に直接又は間接的に接触可能な支持腕部とを具備するとともに、
前記筒状部が前記突出筒部の上方に配置されるヘアキャッチャー構成体を備え、
前記上面部の上方に前記支持腕部を配置した状態で、前記突出筒部に対する前記筒状部の相対回転を規制する位置決め手段を有することを特徴とする請求項１乃至４のいずれか１項に記載の排水栓装置。
【請求項６】
前記上面部は、その幅方向中央から前記両側面部に向けて下方に傾斜することを特徴とする請求項１乃至５のいずれか１項に記載の排水栓装置。
【請求項７】
前記支持筒は、前記配管から下方に向けて突出し、前記配管の外部に配置される筒状の下向き筒部を有し、
上下方向に貫通する挿通孔を有する底面部、及び、当該底面部の外周に立設される筒状の円筒部を有するとともに、前記下向き筒部の外周に前記円筒部が取付けられる被取付部と、
自身の内周に所定の操作部材の変位を前記作動軸へと伝達する伝達部材が相対移動可能に配置されるとともに、前記挿通孔を通って下方に向けて延びる筒状の外皮部と、
前記作動軸の下方において、前記下向き筒部の内周と前記外皮部の外周との間で両者に接触した状態で設けられるとともに、弾性変形可能な材料からなる筒状のブッシュ部とを備え
前記ブッシュ部は、前記挿通孔を通って前記底面部よりも下方に延びる筒状の屈曲抑制部を有し、当該屈曲抑制部の内周に前記外皮部が配置されることを特徴とする請求項１乃至６のいずれか１項に記載の排水栓装置。
【発明の詳細な説明】
【技術分野】
【０００１】
本物品は、槽体の排水口に設けられる排水栓装置に関する。
【背景技術】
【０００２】
従来、排水栓装置としては、槽体（例えば、洗面ボールや浴槽等）の排水口を開閉可能な栓蓋と、自身の上下動に伴い前記栓蓋を上下動させる軸部材と、槽体に直接又は間接的に取付けられ、前記軸部材を上下動可能に支持する支持部材とを有するものが知られている。
【０００３】
支持部材としては、前記軸部材を内周にて支持する筒状の支持筒と、当該支持筒の外周から外周側に向けて延び、周方向に沿って間欠的に形成された複数のリブとを備えたものが知られている（例えば、特許文献１等参照）。前記リブは、前記支持筒を保持するために設けられており、槽体の水を排出する際には、隣接するリブ同士の隙間を通って排水が行われるように構成されている。
【０００４】
しかしながら、上記特許文献に記載の手法では、リブの存在により、排水用の流路を形成する配管等のうち前記リブよりも奥側に位置する部位を清掃することが非常に難しく、清掃性に劣る。
【０００５】
そこで、槽体等に取付けられる配管に対して、前記軸部材を支持する支持筒を一体的に設ける技術が提案されている（例えば、特許文献２等参照）。当該技術によれば、支持筒を保持するためのリブが不要となるため、配管等、排水口よりも奥側に位置する部位を容易に清掃することができる。
【先行技術文献】
【特許文献】
【０００６】
【特許文献１】特開２０１３−１９４３６６号公報
【特許文献２】特開２００３−２５３７１９号公報
【発明の概要】
【発明が解決しようとする課題】
【０００７】
ところが、上記技術では、配管の内面に排水の流れ落ちる傾斜部が設けられるとともに、支持筒のうち少なくとも上方側の部位は、傾斜部に立設され、配管の内部に配置される（尚、以下においては、支持筒のうち配管の内部に配置される部位を「突出筒部」と称す）構成となっている。従って、前記傾斜部に沿って排水が流れ落ちる際に、突出筒部のうち傾斜部における排水の流れ方向上流側に位置する部位（上流側部位）と傾斜部との境界部分に毛髪やゴミ等が付着しやすく（絡まりやすく）、衛生性を十分に向上させることができないおそれがある。
【０００８】
また、突出筒部の上流側部位と配管との間の隙間は、その下方側において非常に狭くなるため、ブラシ等の清掃具が突出筒部の上流側部位と傾斜部との境界部分に届きにくい。そのため、突出筒部の上流側部位と傾斜部との境界部分に付着した汚れを落とすことが難しく、清掃性を十分に向上させることができないおそれがある。
【０００９】
本発明は、上記事情に鑑みてなされたものであり、その目的は、毛髪やゴミ等の付着を効果的に抑制できるとともに、仮に毛髪等が付着した場合であっても付着した毛髪等を容易に取り除くことができ、優れた衛生性及び清掃性を得ることができる排水栓装置を提供することにある。
【課題を解決するための手段】
【００１０】
以下、上記目的を解決するのに適した各手段につき、項分けして説明する。なお、必要に応じて対応する手段に特有の作用効果を付記する。
【００１１】
手段１．槽体の排水口に設けられる栓蓋と、
前記槽体に取付けられる筒状の排水口部材と、
前記排水口部材に取付けられ、自身の内部空間が前記槽体からの排水が流れる排水流路をなす筒状の配管と、
自身の上下動により前記栓蓋を上下動させる作動軸と、
自身の内周において前記作動軸を上下動可能な状態で支持する筒状の支持筒とを備える排水栓装置であって、
前記配管の内面には、上下方向に対して傾斜する傾斜部が設けられ、
前記支持筒は、
前記配管に固定されるとともに、
前記傾斜部から上方に向けて突出し、前記配管の内部空間に配置される突出筒部を有し、
前記突出筒部のうち前記傾斜部における排水の流れ方向上流側に位置する部位を上流側部位としたとき、
前記配管のうち、平面視したときに前記流れ方向に沿って前記上流側部位と対向する部位、及び、前記上流側部位を連結する上面部と、
前記上面部の幅方向一端縁全域から下方に向けて延び、前記配管及び前記上流側部位との間に隙間が存在しない状態で、前記配管及び前記上流側部位に連結される第１側面部と、
前記上面部の幅方向他端縁全域から下方に向けて延び、前記配管及び前記上流側部位との間に隙間が存在しない状態で、前記配管及び前記上流側部位に連結される第２側面部と
を有する付着防止部を備えることを特徴とする排水栓装置。
【００１２】
上記手段１によれば、槽体に取付けられる配管に、支持筒が固定されるように構成されている。従って、支持筒を保持するためのリブ等が不要となり、配管等、排水口よりも奥側に位置する部位を容易に清掃することができる。
【００１３】
さらに、上記手段１によれば、いわば、上記特許文献２（特開２００３−２５３７１９号公報）に記載の技術における、突出筒部の上流側部位と傾斜部との間を埋めるようにして付着防止部が設けられており、前記上流側部位と傾斜部との境界部分に相当する部位が、配管の内部に存在しないように構成されている。従って、突出筒部に対する毛髪やごみ等の付着をより確実に防止することができ、良好な衛生性を得ることができる。
【００１４】
また、付着防止部の存在により、突出筒部の上流側部位と配管との間の隙間が、過度に狭くなってしまうことをより確実に防止できる。これにより、配管内部を一層容易に清掃することができ、優れた清掃性を得ることができる。
【００１５】
さらに、付着防止部を介して、突出筒部の上流側部位が配管に固定されているため、外力に対する突出筒部の耐変形性を高めることができる。そのため、例えば、水の入ったバケツ等の重量物が栓蓋等に載置されてしまったり、栓蓋等を手で強く押し込んでしまったり、栓蓋等を踏みつけてしまったり（特に浴槽に用いられる場合）した場合等、突出筒部に対して力が加わった場合であっても、突出筒部に傾き（変形）が生じてしまうことをより確実に防止できる。
【００１６】
手段２．前記配管には、前記槽体のオーバーフロー口から延びるオーバーフロー管の一端部が接続されており、
前記オーバーフロー管の一端部の開口は、上下方向において前記突出筒部の少なくとも一部とオーバーラップする位置に設けられることを特徴とする手段１に記載の排水栓装置。
【００１７】
付着防止部を設けることで、毛髪等の付着防止等を図ることができるものの、付着防止部の存在により、配管のうち特に突出筒部が存在する位置における通水面積が小さくなってしまい、ひいては排水能力の低下を招いてしまうおそれがある。
【００１８】
この点、上記手段２によれば、突出筒部の側方側において、配管へとオーバーフロー管の一端部が接続されるように構成されている。つまり、配管のうち、付着防止部の存在による通水面積の減少が特に懸念される部位に対応してオーバーフロー管の一端部が接続されている。このため、排水口側から排水を行う際に、配管の内部空間だけでなく、オーバーフロー管の一端部の内部空間をも排水流路として機能させることができ、十分に大きな通水面積を確保することができる。その結果、排水能力の低下をより確実に防止することができる。
【００１９】
手段３．前記配管は、径方向内側に突出する係止部を有するとともに、
前記排水口部材は、前記係止部が係止可能な凹状の被係止部を有し、
前記被係止部に対して前記係止部を係止することで、前記排水口部材に対して前記配管が取付けられ、かつ、
前記排水口部材に対する前記配管の周方向に沿った相対位置を調節可能に構成されることを特徴とする手段２に記載の排水栓装置。
【００２０】
上記手段３によれば、排水口部材に対する配管の取付を容易に行うことができ、取付作業性の向上を図ることができる。
【００２１】
また、上記手段３によれば、排水口部材に対する配管の周方向に沿った相対位置を調節することにより、オーバーフロー口側に向けてオーバーフロー管が延びるように配置するなど、オーバーフロー管を適切な位置へと容易に配置することができる。従って、オーバーフロー管の取り回しが容易となり、オーバーフロー管の破損防止や取付作業性の一層の向上を図ることができる。
【００２２】
手段４．前記作動軸の上方において前記作動軸と直列的に配置されるとともに、前記作動軸の上下動により上下動可能な連動軸、及び、前記作動軸のうちの少なくとも一方が内周に挿通される筒状部と、
前記筒状部の外周に設けられ、自身の外周面が前記槽体及び前記槽体に取付けられた部材のうちの少なくとも一方に接触可能であるとともに、通水孔を有する捕集部とを具備するとともに、
前記筒状部が前記突出筒部の上方に配置されるヘアキャッチャー構成体を備え、
前記筒状部は、その下端部に、前記突出筒部の上端部を挿通可能な凹部を有し、
前記凹部に対して前記突出筒部の上端部が挿通されていることを特徴とする手段１乃至３のいずれかに記載の排水栓装置。
【００２３】
上記手段４によれば、槽体等に接触可能な捕集部と、突出筒部が挿通された凹部とが設けられた位置において、すなわち、上下方向に離間した少なくとも２つの位置において、ヘアキャッチャー構成体の軸ずれを抑制することができる。これにより、ヘアキャッチャー構成体（筒状部）に傾きが発生してしまうことを効果的に抑制でき、栓蓋の正常動作（排水口の開閉）に支障が生じてしまうことをより確実に防止できる。
【００２４】
また、上記手段４によれば、ヘアキャッチャー構成体に、次述する支持腕部を設ける必要がなくなる。支持腕部を設けないことで、ヘアキャッチャー構成体の簡素化を図ることができ、製造コストの低減等を図ることができる。また、通水面積の増大を図ることも可能となる。
【００２５】
手段５．前記作動軸の上方において前記作動軸と直列的に配置されるとともに、前記作動軸の上下動により上下動可能な連動軸、及び、前記作動軸の少なくとも一方が内周に挿通される筒状部と、
前記筒状部の外周に設けられ、自身の外周面が前記槽体及び前記槽体に取付けられた部材のうちの少なくとも一方に接触可能であるとともに、通水孔を有する捕集部と、
前記捕集部よりも下方において前記筒状部の外周から径方向外側に突出するとともに、周方向に沿って間欠的に設けられ、前記槽体及び前記槽体に取付けられた部材のうちの少なくとも一方に直接又は間接的に接触可能な支持腕部とを具備するとともに、
前記筒状部が前記突出筒部の上方に配置されるヘアキャッチャー構成体を備え、
前記上面部の上方に前記支持腕部を配置した状態で、前記突出筒部に対する前記筒状部の相対回転を規制する位置決め手段を有することを特徴とする手段１乃至４のいずれかに記載の排水栓装置。
【００２６】
尚、「位置決め手段」としては、突出筒部の上端部に設けられた窪み状の切欠き部と、筒状部の下端部に設けられるとともに、前記切欠き部内に配置可能であり、かつ、切欠き部内に配置したときに、上面部の上方に支持腕部が配置されるように設計された凸部とによって構成することができる。また、突出筒部の上端部に凸部を設けるとともに、筒状部の下端部に切欠き部を設け、当該切欠き部内に突部を配置したときに、上面部の上方に支持腕部が配置されるように構成することで、位置決め手段が実現されるようにしてもよい。
【００２７】
さらに、「前記槽体及び前記槽体に取付けられた部材のうちの少なくとも一方に直接又は間接的に接触可能な支持腕部」とあるのは、支持腕部が槽体等に直接接触可能である場合のみならず、例えば、支持腕部の外周端に所定の部材（例えば、各支持腕部の外周端を連結する環状のリング部材など）を設けた場合に、前記所定の部材が槽体等に接触可能となる場合も含むという趣旨である。
【００２８】
上記手段５によれば、それぞれ槽体等に接触可能な捕集部及び支持腕部が設けられた位置において、すなわち、上下方向に離間した少なくとも２つの位置において、ヘアキャッチャー構成体の軸ずれを抑制することができる。従って、ヘアキャッチャー構成体（筒状部）における傾きの発生を効果的に抑制することができ、栓蓋の正常動作（排水口の開閉）に支障が生じてしまうことを一層効果的に防止できる。
【００２９】
また、位置決め手段によって、上面部の上方に支持腕部が配置される（上面部と支持腕部とが重なる）ため、支持腕部の存在による通水面積の減少を効果的に抑制することができる。これにより、良好な排水能力を一層確実に確保することができる。
【００３０】
手段６．前記上面部は、その幅方向中央から前記両側面部に向けて下方に傾斜することを特徴とする手段１乃至５のいずれかに記載の排水栓装置。
【００３１】
上記手段６によれば、上面部に乗った毛髪やごみ等は、排水によって、第１側面部や第２側面部側へと流されやすくなる。従って、上面部に対する毛髪やごみ等の付着をより確実に防止することができ、衛生性の一層の向上を図ることができる。
【００３２】
手段７．前記支持筒は、前記配管から下方に向けて突出し、前記配管の外部に配置される筒状の下向き筒部を有し、
上下方向に貫通する挿通孔を有する底面部、及び、当該底面部の外周に立設される筒状の円筒部を有するとともに、前記下向き筒部の外周に前記円筒部が取付けられる被取付部と、
自身の内周に所定の操作部材の変位を前記作動軸へと伝達する伝達部材が相対移動可能に配置されるとともに、前記挿通孔を通って下方に向けて延びる筒状の外皮部と、
前記作動軸の下方において、前記下向き筒部の内周と前記外皮部の外周との間で両者に接触した状態で設けられるとともに、弾性変形可能な材料からなる筒状のブッシュ部とを備え
前記ブッシュ部は、前記挿通孔を通って前記底面部よりも下方に延びる筒状の屈曲抑制部を有し、当該屈曲抑制部の内周に前記外皮部が配置されることを特徴とする手段１乃至６のいずれかに記載の排水栓装置。
【００３３】
取付時に外皮部を引っ張ること等により、外皮部のうち挿通孔を通って下方に延びる部位に対して、当該部位の延び方向と交差する方向に外力が加わってしまうことがある。このような外力が加わると、外皮部が極めて小さな曲率半径で屈曲してしまい、外皮部の内周に配置された伝達部材に破損が生じてしまったり、外皮部に対する伝達部材の相対移動に支障が生じてしまったりするおそれがある。
【００３４】
この点、上記手段７によれば、挿通孔を通って下方に延びる外皮部は、弾性変形可能な屈曲抑制部の内周に配置されるように構成されている。従って、外皮部に外力が加わったときには、屈曲抑制部が邪魔になることで、外皮部が過度に小さな曲率半径で屈曲してしまうことを防止できる。また、外皮部に対する外力の印加に伴い変形した屈曲抑制部は、元の形状に戻ろうとするため、外皮部が過度に屈曲した状態で維持されてしまうといった事態をより確実に防止できる。これらの結果、伝達部材の破損防止が図られるとともに、外皮部に対して伝達部材をスムーズに相対移動させる（つまり、操作部材の変位をより確実に作動軸へと伝達する）ことが可能となる。
【００３５】
また、上記手段７によれば、ブッシュ部によって、下向き筒部と外皮部との間を水密にシールすることができ、配管外部への漏水防止を図ることができる。また、外皮部が過度に屈曲してしまうと、外皮部とブッシュ部との間に隙間が生じてしまうおそれがあるが、上記手段７によれば、屈曲抑制部の存在により外皮部の過度の屈曲を防止できるため、前記隙間の発生を抑制でき、ひいてはシール性を一層向上させることができる。つまり、屈曲抑制部によって、伝達部材の破損防止等だけでなく、シール性の向上をも図ることができる。
【図面の簡単な説明】
【００３６】
【図１】排水栓装置の構成を示す断面図である。
【図２】排水栓装置が取付けられた洗面ボール等を示す断面図である。
【図３】排水栓装置の構成を示す一部破断斜視図である。
【図４】排水口部材に対する配管の取付態様を示す拡大断面図である。
【図５】付着防止部及び傾斜部等を示す部分拡大平面図である。
【図６】図５のＪ−Ｊ線断面図である。
【図７】位置決め手段の構成を示す部分拡大断面図である。
【図８】（ａ）は、筒状部に設けられた凸部を示す部分拡大断面図であり、（ｂ）は、突出筒部に設けられた切欠き部を示す部分拡大平面図である。
【図９】位置決め手段の別例を示す部分拡大断面図である。
【図１０】別の実施形態におけるヘアキャッチャー構成体を示す部分拡大断面図である。
【図１１】別の実施形態における付着防止部を示す図であり、（ａ）は部分拡大平面図であり、（ｂ）は、（ａ）のＫ−Ｋ線断面図である。
【発明を実施するための形態】
【００３７】
以下に、一実施形態について図面を参照しつつ説明する。図１に示すように、排水栓装置１は、槽体としての洗面ボール１００に取付けられている。まず、排水栓装置１の説明に先立って、洗面ボール１００、及び、排水栓装置１を洗面ボール１００に取付けるための取付部材１１０について説明する。
【００３８】
洗面ボール１００は、その底壁部１０１に排水口１０２を有しており、洗面ボール１００内の水は排水口１０２を通って排出されるようになっている。また、本実施形態において、底壁部１０１には、下方に向けて延び、内周に前記排水口１０２が形成される円筒状の垂下部１０３が設けられている。そして、垂下部１０３の外周には、その周方向に沿って延びる環状の窪み部１０３Ａが形成されている。
【００３９】
さらに、図２に示すように、底壁部１０１の外周に立設された側壁部１０４には、洗面ボール１００からの水の溢れ出しを防止するためのオーバーフロー口１０５が設けられている。また、オーバーフロー口１０５には、下向きに屈曲する筒状の継手部１０６が接続されており、継手部１０６の下向きに延びる部位には、弾性変形可能な樹脂等により形成された筒状の管体１０７が接続されている。そして、オーバーフロー口１０５からの排水は、継手部１０６及び管体１０７の内周を通って排水栓装置１側へと流れるようになっている。
【００４０】
図１に戻り、取付部材１１０は、樹脂等により形成されており、内周に雌ねじ部１１１Ａが形成された円筒状の外周部１１１と、当該外周部１１１の上端から径方向内側に延びる環状の張出部１１２とを備えている。そして、周方向に沿った一部が開口する環状（いわゆるＣ字状）をなし、前記窪み部１０３Ａに取付けられた被載置部１１３上に、前記張出部１１２が載置されることで、取付部材１１０は、垂下部１０３の外周において洗面ボール１００に対し相対回転可能な状態で取付けられている。
【００４１】
次いで、排水栓装置１の構成について説明する。排水栓装置１は、排水口部材２、配管３、支持筒４、作動軸５、ヘアキャッチャー構成体６、栓蓋７、及び、付着防止部９を備えている。
【００４２】
排水口部材２は、樹脂等により形成されており、円筒状の本体部２１と、本体部２１の外周から径方向外側に延びる鍔状部２２と、鍔状部２２の外周から上方に延びる筒状の立設部２３とを備えている。立設部２３の外周には、前記雌ねじ部１１１Ａに螺合可能な雄ねじ部２３Ａが設けられており、当該雄ねじ部２３Ａが雌ねじ部１１１Ａに螺合されることによって、排水口部材２は、取付部材１１０を介して洗面ボール１００に取付けられている。
【００４３】
また、排水口部材２を洗面ボール１００に取付けた状態において、本体部２１の上端部は垂下部１０３の下端部と接触しており、垂下部１０３と本体部２１とが直列的に並んだ状態となっている。そのため、排水口１０２からの排水は、本体部２１の内部空間へと流れ落ちるようになっている。
【００４４】
さらに、鍔状部２２と垂下部１０３との間には、弾性変形可能なゴムや樹脂等により形成された環状のパッキン部１１４が配置されており、取付部材１１０に対する排水口部材２の螺合に伴い、パッキン部１１４は、鍔状部２２と垂下部１０３とで挟み込まれた状態となっている。これにより、排水口部材２と洗面ボール１００（垂下部１０３）との間からの漏水防止が図られている。
【００４５】
加えて、本体部２１のうち鍔状部２２よりも下方に位置する部位の外周には、凹状（溝状）の被係止部２１Ａが設けられており、当該被係止部２１Ａは、本体部２１の周方向に沿って延びる環状をなしている。
【００４６】
配管３は、それぞれ筒状をなすとともに、それぞれの内部空間が連通する第１配管部３１及び第２配管部３２とを備えている。
【００４７】
第１配管部３１は、その上方側部位が上下方向に延びる直管状をなすとともに、外周から内周に貫通する貫通孔３１Ａを自身の周方向に沿って間欠的に複数備えている。また、第１配管部３１の外周には、弾性変形可能な樹脂等からなり、周方向に沿った一部が開口する環状（Ｃ字状）のリング部３１Ｂが設けられている。リング部３１Ｂは、自身の開口が拡幅するようにして変形可能に構成されており、ひいては自身の内径が拡大可能となっている。
【００４８】
さらに、リング部３１Ｂの内周部３１Ｃ（本発明の「係止部」に相当する）は、前記貫通孔３１Ａを通って第１配管部３１の内周に突出しており、前記被係止部２１Ａに対して前記内周部３１Ｃが係止されることで、排水口部材２に対して配管３が取付けられている。これにより、洗面ボール１００からの排水は、排水口部材２を通り配管３の内部を流れるようになっている。つまり、配管３の内部空間は、洗面ボール１００からの排水が流れる排水流路を構成している。
【００４９】
また、排水口部材２の外周面と第１配管部３１の内周面との間には、弾性変形可能なゴム等からなる環状のシール部材１１５が設けられている。当該シール部材１１５は、排水口部材２の外周面と第１配管部３１の内周面とで挟み込まれており、シール部材１１５によって、排水口部材２及び第１配管部３１（配管３）間からの漏水防止が図られている。
【００５０】
さらに、図４に示すように、前記内周部３１Ｃの上方側面は、外周側から内周側に向けて下方に傾斜するテーパ状とされている。そのため、排水口部材２に対して配管３を取付ける際には、第１配管部３１を排水口部材２に対して直列的に配置しつつ、前記テーパ状部分を排水口部材２に接触させた状態で、配管３を上方へと移動させることにより、リング部３１Ｂが弾性変形してその内径を徐々に拡大させつつ、第１配管部３１の内周へと排水口部材２が入り込んでいく。そして、配管３をさらに上方へと移動させていき、リング部３１Ｂが被係止部２１Ａの形成位置に至ると、リング部３１Ｂはその弾性変形が解除されて元の形に戻り、自身の内周部３１Ｃが被係止部２１Ａに係止され、その結果、排水口部材２へと配管３が取付けられる。従って、本実施形態では、特別な工具などを要することなく、排水口部材２に対して配管３をワンタッチで取付けることができるようになっている。
【００５１】
加えて、被係止部２１Ａは環状をなすため、被係止部２１Ａに係止された内周部３１Ｃは周方向に沿って自由に移動可能である。そのため、第１配管部３１（配管３）は、排水口部材２に対して相対回転可能であり、ひいては排水口部材２に対する周方向に沿った配置位置を調節可能となっている。
【００５２】
また、図３に示すように、第１配管部３１の下方側部位における内面には、上下方向に対して傾斜する斜面状の傾斜部３１Ｄが設けられている。
【００５３】
第２配管部３２は、上下方向に沿って延びるとともに、第１配管部３１のうち前記傾斜部３１Ｄの傾斜方向下流側に位置する部位の外周に接続されており、傾斜部３１Ｄを伝わって流れ落ちた排水は、第２配管部３２内へと案内されるように構成されている。
【００５４】
さらに、第２配管部３２には、外周側に突出する筒状の管体接続部３２Ａが設けられており、当該管体接続部３２Ａに対して、オーバーフロー口１０５から延びる管体１０７が接続されている（図２参照）。本実施形態では、継手部１０６、管体１０７、及び、管体接続部３２Ａによってオーバーフロー口１０５から延びるオーバーフロー管１０８が構成されている（図２参照）。つまり、第２配管部３２（配管３）には、オーバーフロー管１０８の一端部が接続されている。
【００５５】
支持筒４は、配管３に固定されており（本実施形態では、配管３と一体的に形成されており）、突出筒部４１と下向き筒部４２とを備えている。
【００５６】
突出筒部４１は、傾斜部３１Ｄから上方に向けて延びる円筒状をなし、第１配管部３１（配管３）の内部空間に配置されている。また、突出筒部４１は、その中心軸が第１配管部３１の上方側部位（排水口部材２の外周に配置される直管状部位）の中心軸と一致するように形成されている。そのため、排水口部材２に対する第１配管部３１の周方向に沿った相対位置を変更した場合であっても、突出筒部４１の中心軸は、第１配管部３１の上方側部位の中心軸ひいては排水口部材２の中心軸と一致するようになっている。
【００５７】
さらに、本実施形態では、図６に示すように、オーバーフロー管１０８の一端部（管体接続部３２Ａ）の開口は、上下方向に沿って突出筒部４１の少なくとも一部とオーバーラップする位置に設けられている。
【００５８】
図１及び図３に戻り、下向き筒部４２は、下方に向けて延びる筒状をなしており、配管３の外部に配置されている。また、下向き筒部４２には、底面部８１Ａと、当該底面部８１Ａの外周に立設された筒状の円筒部８１Ｂとを有する被取付部８１が取付けられている。より詳しくは、前記円筒部８１Ｂの内周には雌ねじ部８１Ｃが形成されており、当該雌ねじ部８１Ｃに下向き筒部４２の外周に形成された雄ねじ部４２Ａが螺合されることで、被取付部８１（円筒部８１Ｂ）が下向き筒部４２の外周に取付けられている。
【００５９】
さらに、下向き筒部４２の内周であって作動軸５よりも下方には、弾性変形可能な材料（例えば、ゴムや樹脂等）からなる筒状のブッシュ部８２が配置されている。ブッシュ部８２は、その外周面が下向き筒部４２の内周面に対して圧接された状態となっており、その結果、支持筒４内に浸入した水が、ブッシュ部８２及び下向き筒部４２間から外部に漏出しないように構成されている。
【００６０】
加えて、ブッシュ部８２の内周には、長尺状をなす筒状の外皮部８３の一端側が配置されている。外皮部８３は、弾性変形可能な樹脂等により形成されており、その一端側外周面がブッシュ部８２の内周面に圧接した状態となっている。これにより、支持筒４内に浸入した水がブッシュ部８２及び外皮部８３間から外部に漏出しないようになっている。
【００６１】
さらに、外皮部８３の一端部は、支持筒４の内周においてブッシュ部８２の上面に接触した状態で設けられた筒状の外皮保持部８４に取付けられている。また、外皮部８３のうちその一端部から他端側に向けて延びる部位は、前記底面部８１Ａの中心に設けられた上下方向に貫通する挿通孔８１Ｄを通って下方に向けて延びるとともに、ブッシュ部８２よりも下方において比較的小さな曲率半径で折り曲げられている。そして、外皮部８３の他端部は、洗面ボール１００や洗面ボール１００の近傍に設けられた構造物等に取付けられ、所定の図示しない操作部材（例えば、操作ボタン）を有する操作装置（図示せず）へと接続されている。
【００６２】
また、外皮部８３の内周には、金属製のワイヤー等により構成された伝達部材８５が配置されている（図３では不図示）。伝達部材８５は、外皮部８３の内周において外皮部８３に対して相対移動（往復移動）可能に構成されており、その一端部が前記外皮保持部８４の上端から常に突出した状態とされている（尚、伝達部材８５は、必ずしも外皮保持部８４の上端から常に突出している必要はなく、外皮保持部８４の上端に対して出没するものであってもよい）。また、伝達部材８５の他端部（前記操作装置側の端部）は前記操作部材と接触可能に構成されており、操作部材を操作することによって、伝達部材８５は外皮部８３内にて往復移動し、ひいては外皮保持部８４の上端に対する伝達部材８５の突出量が増減するようになっている。
【００６３】
加えて、前記ブッシュ部８２は、挿通孔８１Ｄを通って底面部８１Ａよりも下方に延びる筒状の屈曲抑制部８２Ａを備えており、当該屈曲抑制部８２Ａの内周に前記外皮部８３が配置されている。
【００６４】
作動軸５は、突出筒部４１に対して上下方向に相対移動可能な状態で、突出筒部４１の内周に配置されている。加えて、作動軸５の下端部は、伝達部材８５の一端部が接触可能に構成されており、作動軸５には、伝達部材８５を介して操作部材の変位が伝達されるようになっている。より詳しくは、作動軸５は、前記操作部材の操作に伴い伝達部材８５の一端部が上向きに移動した際に伝達部材８５によって押し上げられ、伝達部材８５による押し上げが解除されると、自重により元の位置に戻るようになっている。
【００６５】
ヘアキャッチャー構成体６は、突出筒部４１の上方に設けられており、円筒状の筒状部６１と、それぞれ筒状部６１の外周に設けられた捕集部６２及び支持腕部６３とを備えている。尚、筒状部６１、捕集部６２、及び、支持腕部６３は、樹脂等により一体に形成されている。
【００６６】
筒状部６１は、自身の下端部中心に窪み状の凹部６１Ａを備えており、当該凹部６１Ａに対して突出筒部４１の上端部が挿通されている。尚、筒状部６１は、自身の中心軸が突出筒部４１の中心軸と一致するように配置されている。また、筒状部６１は、突出筒部４１に対して相対回転可能に構成されている。
【００６７】
さらに、筒状部６１の内周には、筒状部６１に対して相対移動（上下動）可能に構成された棒状の連動軸８６が挿通されている。連動軸８６は、作動軸５の上方においてこれと直列的に配置されており、作動軸５が上動した際には、連動軸８６が押し上げられ、作動軸５が下動すると、連動軸８６が下降するようになっている。つまり、連動軸８６は、作動軸５と連動して動作するように構成されており、前記操作部材を操作することによって、作動軸５ひいては連動軸８６が上下動するようになっている。
【００６８】
捕集部６２は、排水に含まれるゴミ等を捕集するものであり、網目状をなしている。また、捕集部６２は、網目部分の隙間により構成された平面視六角形状の通水孔６２Ａを備えており、当該通水孔６２Ａを通って排水が下方へと流れるようになっている。さらに、捕集部６２の外周面全域は、排水口部材２の内周面に接触しており、これにより、ヘアキャッチャー構成体６が排水口部材２等の内周において保持されている。また、捕集部６２の外周面全域が排水口部材２に接触することで、ゴミ等が捕集部６２の外周面と排水口部材２との間を通って配管３側へ流れ込まないようになっている。
【００６９】
支持腕部６３は、捕集部６２よりも下方において筒状部６１の外周からその径方向外側に向けて突出する板状をなしている。また、支持腕部６３は、筒状部６１の周方向に沿って間欠的に複数（本実施形態では、４つ）設けられており、隣接する支持腕部６３間に形成された隙間を通って排水が配管３側へと流れるようになっている。さらに、支持腕部６３の外周端部と、排水口部材２の内周面との間の隙間は非常に小さくなるように構成されており、ヘアキャッチャー構成体６（筒状部６１）に軸ずれや傾きが若干でも生じると、支持腕部６３の外周端部が排水口部材２に接触し、ヘアキャッチャー構成体６のそれ以上の軸ずれや傾きが防止されるようになっている。
【００７０】
栓蓋７は、排水口１０２に設けられており、自身の表面が洗面ボール１００の表面に露出する樹脂製の傘状部７１と、当該傘状部７１の背面側外周に取付けられた、ゴム等の弾性材料からなる環状シール部７２とを備えている。さらに、傘状部７１の表面は、ステンレス等からなる被覆部７３で覆われており、外観品質の向上が図られている。
【００７１】
また、傘状部７１の背面中央には、筒状の取付穴形成部７４が形成されており、連動軸８６の上端部が取付穴形成部７４の内周に嵌合されることで、栓蓋７が連動軸８６に取付けられている。そして、操作装置の操作（操作部材の変位）により、作動軸５が上下動することで、連動軸８６及び栓蓋７が上下動し、ひいては排水口１０２が開閉するようになっている。尚、本実施形態では、環状シール部７２の外周縁全周が洗面ボール１００（底壁部１０１）に接触することによって、排水口１０２が閉鎖されるようになっている。
【００７２】
加えて、本実施形態において、連動軸８６の下端側には、Ｃリングにより構成され、通常時には連動軸８６の外周から径方向外側に突出する環状の突起部８６Ａが設けられている。一方で、筒状部６１のうち突起部８６Ａよりも上方に位置する上方部位６１Ｂには、径方向内側に突出する突起が周方向に沿って間欠的に複数設けられている。そして、前記突起部８６Ａは、径方向に沿って弾性変形可能であり、通常時（非変形時）における突起部８６Ａの外径は、前記上方部位６１Ｂにおける突起の最内周を通過する仮想円の直径（上方部位６１Ｂの内径）よりも大きくなる一方で、筒状部６１から連動軸８６を引抜く方向へと連動軸８６等に力を加え、上方部位６１Ｂへと突起部８６Ａを接触させること等により、突起部８６Ａを径方向内側に弾性変形させたときには、突起部８６Ａの外径が前記上方部位６１Ｂの内径以下となるように構成されている。従って、通常時には、栓蓋７を引き上げることで、連動軸８６とともにヘアキャッチャー構成体６も引き上げられることとなり、ヘアキャッチャー構成体６を容易に取外すことができ、また、突起部８６Ａを径方向内側に弾性変形させることで、連動軸８６とヘアキャッチャー構成体６とを分離することができるようになっている。
【００７３】
加えて、本実施形態では、突出筒部４１のうち前記傾斜部３１Ｄにおける排水の流れ方向上流側に位置する上流側部位４１Ａと配管３との間には、付着防止部９が設けられている。当該付着防止部９は、樹脂等によって配管３と一体的に形成されており、図５及び図６に示すように、上面部９１と、第１側面部９２と、第２側面部９３とを備えている。
【００７４】
上面部９１は、配管３のうち、平面視した（上方から見たとき）に前記排水の流れ方向に沿って前記上流側部位４１Ａに対向する部位と、前記上流側部位４１Ａとを連接する部位である。本実施形態において、上面部９１Ａは、突出筒部４１の径方向（水平方向）に沿って延びるように構成されており、前記径方向に沿った自身の長さが、前記径方向と直交する方向に沿った自身の幅よりも大きくなるようにされている。つまり、本実施形態における付着防止部９は、平面視略矩形状となっている。また、上面部９１は、突出筒部４１の上端よりも下方に位置するように構成されており、突出筒部４１の上端部は上面部９１から上方側に若干突出した状態となっている。尚、本実施形態では、上面部９１の幅が突出筒部４１の外径と等しくなるように構成されている。
【００７５】
さらに、上面部９１は、その幅方向中央から前記両側面部９２，９３側に向けて下方に傾斜するように構成されている。具体的には、上面部９１の延びる方向と直交する断面において、上面部９１の外形線は、上側に凸の湾曲面状となるように構成されている。
【００７６】
第１側面部９２は、上面部９１の幅方向一端縁全域から下方に向けて延びており、配管３と上流側部位４１Ａとの間に隙間が存在しない状態で両者に連結されている。
【００７７】
また、第２側面部９３は、上面部９１の幅方向他端縁全域から下方に向けて延びており、配管３と上流側部位４１Ａとの間に隙間が存在しない状態で両者に連結されている。また、第２側面部９３は、第１側面部９２と平行に設けられている。
【００７８】
以上詳述したように、本実施形態によれば、配管３に支持筒４が固定される（本実施形態では、一体に設けられる）ように構成されている。従って、支持筒４を保持するためのリブ等が不要となり、配管３等、排水口１０２よりも奥側に位置する部位を容易に清掃することができる。
【００７９】
さらに、本実施形態では、いわば、突出筒部４１の上流側部位４１Ａと傾斜部３１Ｄとの間を埋めるようにして付着防止部９が設けられており、上流側部位４１Ａと傾斜部３１Ｄとの境界部分に相当する部位が、配管３の内部に存在しないように構成されている。従って、突出筒部４１に対する毛髪やごみ等の付着をより確実に防止することができ、良好な衛生性を得ることができる。
【００８０】
また、付着防止部９の存在により、突出筒部４１の上流側部位４１Ａと配管３との間の隙間が過度に狭くなってしまうことをより確実に防止できる。これにより、配管３内部を一層容易に清掃することができ、優れた清掃性を得ることができる。
【００８１】
さらに、付着防止部９を介して、上流側部位４１Ａが配管３に固定されているため、外力に対する突出筒部４１の耐変形性を高めることができる。そのため、例えば、水の入ったバケツ等の重量物が栓蓋７等に載置されてしまったり、栓蓋７等を手で強く押し込んだりした場合など、突出筒部４１に対して力が加わった場合であっても、突出筒部４１に傾き（変形）が生じてしまうことをより確実に防止できる。
【００８２】
さらに、本実施形態では、突出筒部４１の側方側において、配管３へとオーバーフロー管１０８の一端部が接続されるように構成されている。つまり、配管３のうち、付着防止部９の存在による通水面積の減少が特に懸念される部位に対応してオーバーフロー管１０８の一端部が接続されている。このため、排水口１０２側から排水を行う際に、配管３の内部空間だけでなく、オーバーフロー管１０８の一端部の内部空間をも排水流路として機能させることができ、十分に大きな通水面積を確保することができる。その結果、排水能力の低下をより確実に防止することができる。
【００８３】
また、上下方向に離間した３つの位置（捕集部６２、支持腕部６３、及び、凹部６１Ａが設けられた位置）において、ヘアキャッチャー構成体６の軸ずれを抑制することができる。これにより、ヘアキャッチャー構成体６（筒状部６１）に傾きが発生してしまうことを効果的に抑制でき、栓蓋７の正常動作（排水口１０２の開閉）に支障が生じてしまうことをより確実に防止できる。
【００８４】
加えて、上面部９１は、その幅方向中央から前記両側面部９２，９３に向けて下方に傾斜するため、上面部９１に乗った毛髪やごみ等は、排水によって、第１側面部９２や第２側面部９３側へと流されやすくなる。従って、上面部９１に対する毛髪やごみ等の付着をより確実に防止することができ、衛生性の一層の向上を図ることができる。
【００８５】
さらに、挿通孔８１Ｄを通って下方に延びる外皮部８３は、弾性変形可能な屈曲抑制部８２Ａの内周に配置されるように構成されている。従って、外皮部８３に外力が加わったときには、屈曲抑制部８２Ａが邪魔になることで、外皮部８３が過度に小さな曲率半径で屈曲してしまうことを防止できる。また、外皮部８３に対する外力の印加に伴い変形した屈曲抑制部８２Ａは、元の形状に戻ろうとするため、外皮部８３が過度に屈曲した状態で維持されてしまうといった事態をより確実に防止できる。これらの結果、伝達部材８５の破損防止が図られるとともに、外皮部８３に対して伝達部材８５をスムーズに相対移動させる（つまり、操作部材の変位をより確実に作動軸５へと伝達する）ことが可能となる。
【００８６】
また、ブッシュ部８２によって、下向き筒部４２と外皮部８３との間を水密にシールすることができ、配管３外部への漏水防止を図ることができる。また、外皮部８３が過度に屈曲してしまうと、外皮部８３とブッシュ部８２との間に隙間が生じてしまうおそれがあるが、本実施形態では、屈曲抑制部８２Ａの存在により外皮部８３の過度の屈曲を防止できるため、前記隙間の発生を抑制でき、ひいてはシール性を一層向上させることができる。つまり、屈曲抑制部８２Ａによって、伝達部材８５の破損防止等だけでなく、シール性の向上も図ることができる。
【００８７】
尚、上記実施形態の記載内容に限定されず、例えば次のように実施してもよい。勿論、以下において例示しない他の応用例、変更例も当然可能である。
【００８８】
（ａ）上記実施形態において、筒状部６１は突出筒部４１に対して相対回転可能に構成されており、筒状部６１の周方向に沿った支持腕部６３の配置位置は種々異なるものとなり得る。これに対して、図７に示すように、突出筒部４１に対する筒状部６１の相対回転を規制しつつ、上面部９１の上方に支持腕部６３の１本が配置された状態とする位置決め手段１２１を設けることとしてもよい。位置決め手段１２１は、例えば、図８（ａ）に示すように、筒状部６１の凹部６１Ａにおいて内側に突出する凸部１２１Ａと、図８（ｂ）に示すように、突出筒部４１の上端部のうち、上面部９１の上方に支持腕部６３が配置されたときに凸部１２１Ａの下方に位置する部位に設けられ、凸部１２１を係止可能な窪み状の切欠き部１２１Ｂとによって構成することができる。位置決め手段１２１によって、上面部９１の上方に支持腕部６３が配置される（上面部９１と支持腕部６３とが重なる）ため、支持腕部６３の存在による通水面積の減少を効果的に抑制することができる。これにより、良好な排水能力を一層確実に確保することができる。
【００８９】
尚、例えば、図９に示すように、筒状部６１の下端部に設けられ、凹部６１Ａと筒状部６１の外部とを連通する切欠き状の連通部１２２Ａと、凹部６１Ａに突出筒部４１の上端部を挿通したときに、前記連通部１２２Ａ内に配置される付着防止部９とによって、位置決め手段１２２を構成してもよい。つまり、付着防止部９が位置決め手段の一部を構成していてもよい。
【００９０】
（ｂ）上記実施形態では、ヘアキャッチャー構成体６の軸ずれ等を防止するために支持腕部６３が設けられているが、図１０に示すように、支持腕部６３を設けないこととしてもよい。この場合には、ヘアキャッチャー構成６体の簡素化を図ることができ、製造コストの低減等を図ることができる。
【００９１】
また、この場合であっても、凹部６１Ａに突出筒部４１の上端部が挿通されているため、ヘアキャッチャー構成体６の下方側における軸ずれを十分に抑制することができる。そのため、排水口部材２に接触する捕集部６２によって、ヘアキャッチャー構成体６の上方側における軸ずれを抑制できることと相俟って、ヘアキャッチャー構成体６（筒状部６１）に傾きが発生してしまうことを効果的に抑制でき、栓蓋７の正常動作（排水口１０２の開閉）に支障が生じてしまうことをより確実に防止できる。
【００９２】
（ｃ）上記実施形態において、付着防止部９は平面視略矩形状とされているが、図１１（ａ），（ｂ）に示すように、付着防止部１３０が平面視扇型状をなすように構成してもよい。つまり、上面部１３１を平面視扇型状に形成するとともに、上面部１３１の幅方向端部から下方に向けて第１側面部１３２及び第２側面部１３３が延びるように構成してもよい。
【００９３】
（ｄ）上記実施形態において、支持筒４は配管３と一体的に形成されているが、両者を別体で形成した後、配管３に対して支持筒４が固定されるように構成してもよい。また、上記実施形態において、付着防止部９は、配管３及び支持筒４と一体的に形成されているが、付着防止部を配管及び支持筒と別体で形成した後、付着防止部が配管及び支持筒に固定されるように構成してもよい。
【００９４】
（ｅ）上記実施形態では、筒状部６１の内周に、作動軸５に対して直列的に配置された連動軸８６が設けられているが、長尺化された作動軸５が筒状部６１の内周に配置されるとともに、作動軸５に栓蓋７が取付けられるように構成することで、連動軸８６を省略してもよい。
【００９５】
（ｆ）上記実施形態において、被取付部８１は、その内周の雌ねじ部８１Ｃへと下向き筒部４２の雄ねじ部４２Ａが螺合されることで、下向き筒部４２に取付けられているが、下向き筒部４２に対する被取付部８１の取付態様はこれに限定されるものではない。従って、例えば、下向き筒部４２の外周に被取付部８１の内周が係止されることで、下向き筒部４２の外周に被取付部８１が取付けられるように構成してもよい。
【００９６】
（ｇ）上記実施形態において、捕集部６２の外周面は排水口部材２に接触するように構成されているが、捕集部６２の外周面が洗面ボール１００に接触するように構成してもよい。また、捕集部６２の外周面が、排水口部材２以外の洗面ボール１００に取付けられた部材に接触するように構成してもよい。
【００９７】
（ｈ）上記実施形態において、支持腕部６３は、排水口部材２の内周面に接触可能に構成されているが、支持腕部６３を洗面ボール１００に接触可能とすることで、ヘアキャッチャー構成体６の軸ずれ等を防止することとしてもよい。また、支持腕部６３が、排水口部材２以外の洗面ボール１００に取付けられた部材に接触するように構成してもよい。さらに、支持腕部６３は、洗面ボール１００や排水口部材２等に対して必ずしも直接接触可能である必要はなく、例えば、所定の部材を介することで、支持腕部６３が洗面ボール１００や排水口部材２等に対して間接的に接触可能であってもよい。
【００９８】
（ｉ）上記実施形態では、環状シール部７２が洗面ボール１００（底壁部１０２）に接
触することで、排水口１０２が閉鎖されるように構成されているが、環状シール部７２が洗面ボール１００以外の部材（例えば、排水口部材２）に接触することで、排水口１０２が閉鎖されるように構成してもよい。
【００９９】
（ｊ）上記実施形態において、上面部９１は突出筒部４１の径方向（水平方向）に沿って延びるように構成されているが、上面部９１を前記径方向に対して若干傾斜する方向に延びるように構成してもよい。
【０１００】
（ｋ）上記実施形態において、上面部９１は上側に凸の湾曲面状をなすように構成されているが、上面部９１の形状はこれに限定されるものではない。従って、例えば、上面部９１の幅方向中央部分が平坦面状をなすとともに、前記幅方向中央部分から第１、第２側面部９２，９３に向けて下方に傾斜するように（つまり、断面視略台形状をなすように）構成してもよい。また、上面部９１の全域が平坦面状であってもよい。
【０１０１】
（ｌ）上記実施形態では、槽体として洗面ボール１００を例示しているが、本発明の技術思想を適用可能な槽体は洗面ボールに限定されるものではない。従って、例えば、浴槽や流し台のシンクなどに本発明の技術思想を適用することとしてもよい。
【符号の説明】
【０１０２】
１…排水栓装置、３…配管、４…支持筒、５…作動軸、６…ヘアキャッチャー構成体、７…栓蓋、９…付着防止部、２１Ａ…被係止部、３１Ｃ…内周部（係止部）、３１Ｄ…傾斜部、４１…突出筒部、４１Ａ…上流側部位、４２…下向き筒部、６１…筒状部、６１Ａ…凹部、６２…捕集部、６２Ａ…通水孔、６３…支持腕部、８１…被取付部、８１Ａ…底面部、８１Ｂ…円筒部、８１Ｄ…挿通孔、８２…ブッシュ部、８２Ａ…屈曲抑制部、８３…外皮部、８５…伝達部材、８６…連動軸、９１…上面部、９２…第１側面部、９３…第２側面部、１００…洗面ボール（槽体）、１０２…排水口、１０５…オーバーフロー口、１０８…オーバーフロー管、１２１…位置決め手段。
【図１】
2015124520.tif 000003
【図２】
2015124520.tif 000004
【図３】
2015124520.tif 000005
【図４】
2015124520.tif 000006
【図５】
2015124520.tif 000007
【図６】
2015124520.tif 000008
【図７】
2015124520.tif 000009
【図８】
2015124520.tif 000010
【図９】
2015124520.tif 000011
【図１０】
2015124520.tif 000012
【図１１】
2015124520.tif 000013